(57)【要約】【課題】必要な救急救命処置を簡易且つ迅速に施すことができる救急救命用具を提供する。【解決手段】救急救命用具１０Ａを、伸縮性を有するベルト（帯状部材）の表面全体に、雌側面ファスナー３Ａが設けられた本体部１と、当該本体部１の長手方向一端に突出させた状態で縫い付けられた係止部２と、で構成した。また、係止部２において、本体部１の裏面側に位置する面には、本体部１に設けられた雌側面ファスナー３Ａと係合する雄側面ファスナー３Ｂを設けた。そして、この救急救命用具１０Ａは、本体部１の裏面側を下にした状態で、その係止部２が設けられた端部とは反対側の端部から患部に巻き付け、本体部１が患部に巻き終わったら、本体部１の表面に設けられた雌側面ファスナー３Ａと係止部２の裏面に設けられた雄側面ファスナー３Ｂとを係合させて固定する構成とした。【選択図】  図１
0003139642.tif 000002
【実用新案登録請求の範囲】
【請求項１】
伸縮性を有する帯状部材の表面に雌側又は雄側のうち少なくとも一方の面ファスナーが設けられた本体部と、当該本体部の一端に突出させた状態で固定され、前記面ファスナーと係合する側の面ファスナーが前記本体部の裏面側に位置するように設けられた係止部と、を備えたことを特徴とする救急救命用具。
【請求項２】
伸縮性を有する帯状部材の表面に雌側又は雄側のうち少なくとも一方の面ファスナーが設けられた本体部と、当該本体部に設けられた面ファスナーと係合する側の面ファスナーが設けられた係止部と、を別体で備えたことを特徴とする救急救命用具。
【請求項３】
伸縮性を有する帯状部材の表面に雌側又は雄側のうち少なくとも一方の面ファスナーが設けられた本体部と、当該本体部の裏面に設けられ、前記面ファスナーと係合する側の面ファスナーからなる係止部と、を備えたことを特徴とする救急救命用具。
【考案の詳細な説明】
【技術分野】
【０００１】
本考案は、救急救命用具に関し、特に、胸部、手足、頭部など身体の一部に巻き付けて、患部の圧迫止血処置、被覆処置、及び固定処置などの救急救命処置に用いる救急救命用具に関するものである。
【背景技術】
【０００２】
従来、圧迫止血処置、被覆処置、及び固定処置などの救急救命処置を行うための救急救命用具として、三角巾が用いられている。ところが、この三角巾を用いた処置は、患部への巻き付け方や巻き付けた後の結び方など所定の技術が必要であり、当該技術を習得していない者は十分に処置を施すことができず、処置者の技術如何によって患部に必要な処置が施せないという不具合があった。また、当該技術を習得している者であっても、三角巾を患部へ巻き付けた後に結んで固定する際に、三角巾を患部に必要な巻き付け強度で固定するのが難しく、必要な処置を簡易且つ迅速に施せないという不具合があった。
【０００３】
そこで、特許文献１では、緊急救命処置の技術を習得していない者でも必要な救急救命処置が施せるように、三角巾自体に救急措置の手順が表示された緊急医療用布が提案されている。
【特許文献１】特開２００２−１８６６４１号公報
【考案の開示】
【考案が解決しようとする課題】
【０００４】
しかしながら、上述した特許文献１に記載の技術においては、緊急医療用布として用いる三角巾に救急救命処置の手順が表示されてはいるが、その巻き方や結び方など所定の方式に従って処置する必要があり、必要な救急救命処置を簡易且つ迅速に施すという点で未だ改善の余地があった。
また、従来の三角巾は、その大きさが略一定であるため、患部や患者の体型等によっては巻き付け方や結び方を変える必要があったり、或いは使用できなかったりするため、必要な救急救命処置を簡易且つ迅速に施すという点で未だ改善の余地があった。
【０００５】
本考案は、上記事情に鑑みてなされたものであり、患部や患者の体型、或いは、処置者の技術如何に係らず、必要な救急救命処置を簡易且つ迅速に施すことができる救急救命用具を提供することを課題としている。
【課題を解決するための手段】
【０００６】
このような課題を解決するために、本考案に係る救急救命用具は、伸縮性を有する帯状部材の表面に雌側又は雄側のうち少なくとも一方の面ファスナーが設けられた本体部と、当該本体部の一端に突出させた状態で固定され、前記面ファスナーと係合する側の面ファスナーが前記本体部の裏面側に位置するように設けられた係止部と、を備えた構成とした。
【０００７】
また、本考案に係る救急救命用具は、伸縮性を有する帯状部材の表面に雌側又は雄側のうち少なくとも一方の面ファスナーが設けられた本体部と、当該本体部に設けられた面ファスナーと係合する側の面ファスナーが設けられた係止部と、を別体で備えた構成とした。
【０００８】
さらに、本考案に係る救急救命用具は、伸縮性を有する帯状部材の表面に雌側又は雄側のうち少なくとも一方の面ファスナーが設けられた本体部と、当該本体部の裏面に設けられ、前記面ファスナーと係合する側の面ファスナーからなる係止部と、を備えた構成とした。
【０００９】
ここで、本考案に係る救急救命処置用具において設けられる面ファスナーは、本体部に雌側、係止部に雄側を設けるようにしてもよいし、本体部に雌側、係止部に雄側を設けるようにしてもよいし、本体部及び係止部のいずれも雄雌の両方が埋め込まれたものを設けるようにしてもよい。また、本体部における面ファスナーの設置部位は、特に限定されないが、必要な救急救命処理を簡易且つ迅速に行うために、本体部の表面全体に設けることが好ましい。
【考案の効果】
【００１０】
本考案に係る救急救命用具によれば、伸縮性を有する帯状部材の表面に設けた雌形又は雄側のうち少なくとも一方の面ファスナーが設けられた本体部と、当該本体部の面ファスナーと係合する側の面ファスナーが設けられた係止部と、を備えたことにより、従来の三角巾のように患部に巻きつけた後に結ぶことで固定するのではなく、本体部を患部に巻きつけた後、所定の位置で面ファスナーにより固定することができるため、患部や患者の体型、或いは処置者の技術如何に係らず、必要な救急救命処置を簡易且つ迅速に施すことができる。
【考案を実施するための最良の形態】
【００１１】
以下、本考案の実施形態について図面を参照しながら説明する。
【００１２】
＜第一実施形態＞
図１は、本考案に係る救急救命用具の第一実施形態を示し、（ａ）は平面図、（ｂ）は側面図、（ｃ）は本体部を巻き付けた状態を示す斜視図である。
本実施形態における救急救命用具１０Ａは、図１（ａ），（ｂ）に示すように、伸縮性を有するゴム織り布からなるベルト（帯状部材）の表面全体に、雌側面ファスナー３Ａが接着された本体部１からなり、当該本体部１の長手方向一端には、この一端から突出させた状態で、本体部１の幅よりも短い短辺と本体部１の長さよりも短い長辺とからなる長方形状で、本体部１と同様のゴム織り布からなる係止部２の一端が縫い付けられている。ここで、本体部１に縫い付けられた係止部２のうち、本体部１の裏面側に位置する面には、本体部１の雌側面ファスナー３Ａと係合する略矩形状の雄側面ファスナー３Ｂが接着されている。
また、この救急救命用具１０Ａにおける本体部１や係止部２の幅及び長さと、各面ファスナー３Ａ，３Ｂの形状、設置数、及び設置部位は、巻き付ける患部（例えば、頭部、手足部、腰部など）に応じて適宜変更可能である。
【００１３】
この救急救命用具１０Ａは、図１（ｃ）に示すように、まず、患部（例えば、腕部）に、本体部1の裏面側を下にした状態で、その係止部２が設けられた端部とは反対側の端部から巻き付けていく。そして、本体部１が患部に巻き終わったら、本体部１の表面に設けられた雌側面ファスナー３Ａと係止部２の裏面に設けられた雄側面ファスナー３Ｂとを係合させて固定する。この時、患部への巻き付け強度は、患部に施す処置（例えば、圧迫止血処置、被覆処置、固定処置）に応じて適宜調整する。
【００１４】
本実施形態における救急救命用具１０Ａによれば、伸縮性を有するベルトからなる本体部１の表面全体に雌側面ファスナー３Ａを設け、この本体部１の一端に突出させた状態で、雄側面ファスナー３Ｂが設けられた係止部２の一端を縫い付けたことにより、患部や患者の体型、或いは、処置者の技術如何に係らず、患部への巻き付け及び固定が簡単に行えるため、必要な救急救命処置を簡易且つ迅速に施すことができる。
【００１５】
また、本実施形態における救急救命用具１０Ａによれば、本体部１を、伸縮性を有するベルトで構成したことにより、患部に施す処置に応じた必要な巻き付け強度を容易に調節することができる。
さらに、本実施形態における救急救命用具１０Ａによれば、係止部２を本体部１の一端に突出させた状態で取り付けたことにより、本体部１の患部への巻き付け時に係止部２を把持して巻き付けることができるため、患部への巻き付け及び固定がより簡単に行える。
【００１６】
なお、第一実施形態においては、係止部２の一端を本体部１に縫い付けて取り付けた構成について説明したが、係止部２の本体部１への取り付け方法はこれに限らず、例えば、接着剤によって取り付けてもよい。但し、引っ張り強度による耐強性や巻き付け強度を考慮すると、係止部２を本体部１に縫い付けて取り付けることが好ましい。
【００１７】
＜第二実施形態＞
図２は、本考案に係る救急救命用具の第二実施形態を示し、（ａ）は本体部の平面図、（ｂ）は係止部の平面図、（ｃ）は本体部と係止部との取り付け状態を示す斜視図である。
本実施形態における救急救命用具１０Ｂは、図２（ａ），（ｂ）に示すように、上述した第一実施形態で示した救急救命用具１０Ａの本体部１と係止部２とを、別体で設けたものである。すなわち、本実施形態における救急救命用具１０Ｂの本体部１は、伸縮性を有するゴム織り布からなるベルト（帯状部材）の表面全体に、雌側面ファスナー３Ａが接着されている。また、本実施形態における救急救命用具１０Ｂの係止部２は、本体部１の幅よりも短い短辺と本体部１の長さよりも短い長辺とからなる長方形状で、本体部１と同様のゴム織り布からなり、その表面全体に、本体部１の雌側面ファスナー３Ａと係合する雄側面ファスナー３Ｂが接着されている。
また、この救急救命用具１０Ｂにおける本体部１や係止部２の幅及び長さと、各面ファスナー３Ａ，３Ｂの形状、設置数、及び設置部位は、第一実施形態と同様に、巻き付ける患部（例えば、頭部、手足部、腰部など）に応じて適宜変更可能である。
【００１８】
この救急救命用具１０Ｂは、図２（ｃ）に示すように、まず、患部（例えば、腕部）に、本体部１の裏面側を下にして、一端部から巻き付けていく。そして、本体部１が患部に巻き終わったら、その巻き終わり端部と本体部１の周面とに掛け渡し、且つ、係止部２の表面を本体部１の周面側に向けて配置した状態で押し付けて、本体部１の表面に接着された雌側面ファスナー３Ａと係止部２の表面に接着された雄側面ファスナー３Ｂとを係合させて固定する。この時、患部への巻き付け強度は、患部に施す処置（例えば、圧迫止血処置、被覆処置、固定処置）に応じて適宜調整する。
【００１９】
本実施形態における救急救命用具１０Ｂによれば、伸縮性を有するベルトからなり、その表面全体に雌側面ファスナー３Ａが設けられた本体部１と、この本体部１の巻き終わり端部を本体部１の周面に固定するために、雄側面ファスナー３Ｂが設けられた係止部２とを備えたことにより、患部や患者の体型、或いは、処置者の技術如何に係らず、患部への巻き付け及び固定が簡単に行えるため、必要な救急処置を簡易且つ迅速に施すことができる。
また、本実施形態における救急救命用具１０Ｂによれば、本体部１と係止部２とを別体で構成したことによって、適用範囲を広くできる。例えば、本体部１の長さを患部や処置に応じて適宜切断して使用したり、幅の異なる種々の本体部１の固定を一種類の係止部２で行ったり、必要に応じて複数の係止部を用いて固定することも可能となる。
【００２０】
なお、本実施形態の救急救命用具１０Ｂにおいて、本体部１は、収納性、搬送性、取り扱い性、及び衛生面等を考慮して、図３に示すように、筒状に巻きつけた本体部１を容器２０内に収納し、当該容器２０の一側面に設けられた開口部２１から本体部１の一端部を容器２０の外部に引き出して、必要に応じて適宜切断して使用するようにしてもよい。また、この容器２０の他の側面には、容器２０内に収納した本体部１の残量が判断できるように、開口窓２２を設けてもよい。
【００２１】
＜第三実施形態＞
図４は、本考案に係る救急救命用具の第三実施形態を示し、（ａ）は平面図、（ｂ）は側面図、（ｃ）は本体部を巻き付けた状態の斜視図である。
本実施形態における救急救命用具１０Ｃは、図４（ａ），（ｂ）に示すように、伸縮性を有するゴム織り布からなるベルト（帯状部材）の表面全体に、雌側面ファスナー３Ａが接着された本体部１からなり、当該本体部１の長手方向一端の裏面には、雌側面ファスナー３Ａと係合する略矩形状の雄側面ファスナー３Ｂからなる係止部２が接着されている。
また、この救急救命用具１０Ｃの幅及び長さや、各面ファスナー３Ａ，３Ｂの形状、設置数、及び設置部位は、第一実施形態と同様に、巻き付ける患部（例えば、頭部、手足部、腰部など）に応じて適宜変更可能である。
【００２２】
この救急救命用具１０Ｃは、図４（ｃ）に示すように、まず、患部（例えば、腕部）に、本体部１の裏面側を下にした状態で、その係止部２が設けられた端部とは反対側の端部から巻きけていく。そして、本体部１が患部に巻き終わったら、本体部１の表面に設けられた雌側面ファスナー３Ａと本体部１の裏面に設けられた雄側面ファスナー３Ｂとを係合させて固定する。この時、患部への巻き付け強度は、患部に施す処置（例えば、圧迫止血処置、被覆処置、固定処置）に応じて適宜調整する。
【００２３】
本実施形態における救急救命用具１０Ｃによれば、伸縮性を有するベルトからなる本体部１の表面全体に雌側面ファスナー３Ａを設け、この本体部１の裏面の一端に雄側面ファスナー３Ｂからなる係止部２を設けたことにより、患部や患者の体型、或いは、処置者の技術如何に係らず、患部への巻き付け及び固定が簡単に行えるため、必要な救急救命処置を簡易且つ迅速に施すことができる。
また、本実施形態における救急救命用具１０Ｃによれば、本体部１の表面全体に雌側の面ファスナーを設け、本体部１の裏面の一部に雄側面ファスナー３Ｂからなる係止部２を設けたことにより、上述した第一実施形態のように、本体部１の端部に突出させた状態で係止部を固定した場合と比べてより簡易な構成とできるため、製造コストを低減させることができる。
【００２４】
なお、第一から第三実施形態においては、本体部１の雌側面ファスナー３Ａを本体部１の表面全体に設けた場合について説明したが、これに限らず、本体部１の表面の一部に雌側面ファスナー３Ａを設けてもよい。但し、必要な救急救命処置を簡易且つ迅速に行うことを考慮すると、本体部１の表面全体に雌側面ファスナー３Ａを設けることが好ましい。
また、第一から第三実施形態においては、いずれも係止部２の雄側面ファスナー３Ｂを略矩形状に１個設けた場合について説明したが、雄側面ファスナー３Ｂの設置状態は、これに限らず、例えば、円形状や三角形状としてもよいし、複数個設けるようにしても構わない。
【００２５】
さらに、第一から第三実施形態においては、いずれも本体部１に雌側面ファスナー３Ａを設け、係止部２に雄側面ファスナー３Ｂを設けた構成としたが、面ファスナー３Ａ，３Ｂの設置状態はこれに限らない。例えば、本体部１に雄側面ファスナー３Ｂを設け、係止部２に雌側面ファスナー３Ａを設けるようにしてもよいし、本体部１及び係止部２の両方に雌側と雌側の両方が埋め込まれた面ファスナーを設けるようにしてもよい。
【００２６】
さらに、第一から第三実施形態においては、いずれも各面ファスナー３Ａ，３Ｂを本体部１や係止部２の各表面に接着により設けた場合について説明したが、各面ファスナー３Ａ，３Ｂの設置方法はこれに限らず、例えば、縫い付けによって設けるようにしてもよい。
さらに、第一から第三実施形態においては、いずれも本体部１をゴム織り布からなる伸縮性を有する部材で構成しているが、これに限らず、その他の伸縮性を有する部材で構成してもよい。また、第一及び第二実施形態においては、係止部２を本体部１と同様のゴム織り布から構成したが、これに限らず、
伸縮性を有しない布等の素材を用いて構成してもよい。
【図面の簡単な説明】
【００２７】
【図１】本考案に係る救急救命用具の第一実施形態の一例を示し、（ａ）は平面図、（ｂ）は側面図、（ｃ）は本体部を巻き付けた状態を示す斜視図である。
【図２】本考案に係る救急救命用具の第二実施形態の一例を示し、（ａ）は本体部の平面図、（ｂ）は係止部の平面図、（ｃ）は本体部と係止部の取り付け状態を示す斜視図である。
【図３】第二実施形態における救急救命用具の本体部を収納する容器の一例を示す斜視図である。
【図４】本考案に係る救急救命用具の第三実施形態の一例を示し、（ａ）は平面図、（ｂ）は側面図、（ｃ）は本体部を巻き付けた状態を示す斜視図である。
【符号の説明】
【００２８】
１    本体部
２    係止部
３Ａ  雌側面ファスナー
３Ｂ  雄側面ファスナー
１０Ａ〜１０Ｃ    救急救命用具
【図１】
0003139642.tif 000003
【図２】
0003139642.tif 000004
【図３】
0003139642.tif 000005
【図４】
0003139642.tif 000006